(57)【要約】【課題】従来の靴型では反映しきれていなかった本来健康な足が保有する共通点をひとつの曲面として実現させることにより、従来の靴型によって生じてしまう足部の骨格の下方および外反変位を自然に防ぐことのできる靴を作ることができる靴型及び靴を提供することを目的とする。【解決手段】靴を製造する際に靴の中底に当接する型底部２を少なくとも備え、型底部２の底面形状を中底の外面形状に転写させる靴型１であって、型底部２は、第１の凹部２３を備え、第１の凹部２３は、足の裏側の中央部に対応する部位に形成される第２の凹部２１と、足の裏側における内側部に対応する部位に形成される第３の凹部２０と、足の裏側における外側部に対応する部位に形成される第４の凹部２２とを有する。第１の凹部２３は、第２の凹部２１、第３の凹部２０及び第４の凹部２２が連続して接続された湾曲形状を有する。【選択図】図２
2010187843.tif 000002
【特許請求の範囲】
【請求項１】
靴を製造する際に靴の中底に当接する型底部を少なくとも備え、前記型底部の底面形状を中底の外面形状に転写させる靴型であって、
前記型底部は、第１の凹部を備え、
前記第１の凹部は、足の裏側の中央部に対応する部位に形成される第２の凹部と、足の裏側における内側部に対応する部位に形成される第３の凹部と、足の裏側における外側部に対応する部位に形成される第４の凹部とを有し、
前記第２の凹部は、足の骨格を構成する第２中足骨に対応する部位に、前記第２中足骨に沿って形成されており、
前記第３の凹部の内端縁は、前記靴型の内側面から外側面に向かう方向に前記内端縁を視た場合に、足の骨格を構成する第１中足骨の先端部に対応する部位の近傍から足の骨格を構成する踵骨の踵骨隆起内側突起に対応する部位の近傍まで延びる湾曲形状を有し、前記第３の凹部は、前記内端縁に向かうにしたがって上方に向かって傾斜して形成されると共に、前記第２の凹部に連続して接続されており、
前記第４の凹部の外端縁は、前記靴型の外側面から内側面に向かう方向に前記外端縁を視た場合に、足の骨格を構成する第５中足骨の先端部に対応する部位の近傍から足の骨格を構成する踵骨の踵骨隆起外側突起に対応する部位の近傍まで延びる湾曲形状を有し、前記第４の凹部は、前記外端縁に向かうにしたがって上方に向かって傾斜して形成されると共に、前記第２の凹部に連続して接続される靴型。
【請求項２】
前記型底部は、足の骨格を構成する第１指の基節骨に対応する部位の近傍から第５指の基節骨に対応する部位の近傍までをつなぐように延びる第５の凹部を備える請求項１に記載の靴型。
【請求項３】
前記第２の凹部は、前記踵骨隆起内側突起及び前記踵骨隆起外側突起を結ぶ仮想線に対応する部位の近傍まで延びる請求項１又は２に記載の靴型。
【請求項４】
人が履いた場合に足の裏側が当接する中底部を少なくとも備える靴であって、
前記中底部は、第１の凸部を備え、
前記第１の凸部は、足の裏側の中央部が配置される部位に形成される第２の凸部と、足の裏側における内側部が配置される部位に形成される第３の凸部と、足の裏側における外側部が配置される部位に形成される第４の凸部とを有し、
前記第２の凸部は、足の骨格を構成する第２中足骨が配置される部位に、前記第２中足骨に沿って形成されており、
前記第３の凸部の内端縁は、前記靴の内側面から外側面に向かう方向に前記内端縁を視た場合に、足の骨格を構成する第１中足骨の先端部が配置される部位の近傍から足の骨格を構成する踵骨の踵骨隆起内側突起が配置される部位の近傍まで延びる湾曲形状を有し、前記第３の凸部は、前記内端縁に向かうにしたがって上方に向かって傾斜して形成されると共に、前記第２の凸部に連続して接続されており、
前記第４の凸部の外端縁は、前記靴の外側面から内側面に向かう方向に前記外端縁を視た場合に、足の骨格を構成する第５中足骨の先端部が配置される部位の近傍から足の骨格を構成する踵骨の踵骨隆起外側突起が配置される部位の近傍まで延びる湾曲形状を有し、前記第４の凸部は、前記外端縁に向かうにしたがって上方に向かって傾斜して形成されると共に、前記第２の凸部に連続して接続される靴。
【請求項５】
前記中底部は、足の骨格を構成する第１指の基節骨が配置される部位の近傍から第５指の基節骨が配置される部位の近傍までをつなぐように延びる第５の凸部を備える請求項４に記載の靴。
【請求項６】
前記第２の凸部は、前記踵骨隆起内側突起及び前記踵骨隆起外側突起を結ぶ仮想線が形成される部位の近傍まで延びる請求項４又は５に記載の靴。
【発明の詳細な説明】
【技術分野】
【０００１】
本発明は、靴を製造するための靴型及び靴に関する。
【背景技術】
【０００２】
靴の靴底は、一般的に、人が履いた場合に足の裏が当接し得る中底と、地面に接触し得る本底と、中底と本底との間に挟み込まれるコルクなどの衝撃吸収用の中物とを備えている。靴の靴底は、靴を製造する際に使用される靴型の底面に靴の中底が固定された後に、この中底の下に中物を配置して、その中物の下に本底を貼ることにより製造される。靴の中底は、靴型に圧着固定されるため、その靴型の底面の形状と略同一の外面形状が転写される。従って、靴の中底の外面形状は、靴型の底面の形状により定まる。
【０００３】
従来の靴型において、足の裏に対応する底面の形状は、横方向における中央線を頂点とする膨出する湾曲形状を有している。そして、その湾曲形状が、足の裏の縦方向の略全域に亘って形成されている。従って、この靴型により靴が製造された場合には、この靴型の底面の形状が靴の中底に外面形状として転写されるため、靴の中底の外面形状は、横方向における断面から視ると断面の形状がＵ字形状に凹む湾曲形状となる。
【０００４】
ところで、人間の骨格は、従来認識されている以上に容易に変形してしまうものであり、足部の骨格は、靴型の形状に忠実に変形してしまう。それ故、従来の靴型を使用して製造された靴を長期間履いた場合、足部の骨格は、靴型の底面の形状と同様に、下方に膨出する湾曲形状に変形してしまう。これら骨格の下方への変形は、のちに偏平足や開帳足などの足部疾患に進行し、さらに下方への変形に加えて外反変形が生じた場合には、外反拇指へと進行してしまう。さらに、足部の骨格は、下肢、大腿、体幹、頭部等全ての骨格に影響するものであり、これら靴型の劣悪に起因する問題は、身体全身に影響を及ぼす。足部の下方変位や外反変位による下肢に対する影響により、下肢を形成する脛骨や腓骨はより内旋位を取り、Ｏ脚となる可能性が高くなる。
【０００５】
このような問題を解決するために、靴を製造する際に使用される靴型について、靴の中底の所定の部位に膨出する凸部を形成する靴型に関する技術が提案されている（例えば、特許文献１、特許文献２参照）。
【先行技術文献】
【特許文献】
【０００６】
【特許文献１】実公昭３７−３０４３６号公報
【特許文献２】実公昭３６−２８２３３号公報
【発明の概要】
【発明が解決しようとする課題】
【０００７】
特許文献１、２における靴型の凹部により形成された靴の中底の凸部は、足の裏の形状に完全に適合する形状ではなく、それらのように足部の骨格の一部に視点を置き、局所的に対処する方法では、健康な足が本来所持する自然な湾曲アーチを波打った状態へとさせ、むしろ足部の骨格形状を悪化させてしまうことへとつながる。
【０００８】
これに対して、本発明者は、健康な足が本来所持する足部の骨格構造の共通性があることを医療的にも認識されているにも関わらず、部分的、もしくは２次元的に捉えており、一定の必要な方向性を持った３次元の複数の曲面として靴型に反映させていないという問題点に着目した。そして、本発明者は、このような問題点に対し、人間の足の骨格を靴型に反映させ、その靴型を用い製造された靴を履くことで、健康な足が本来所持する足部の骨格を自然に変形させることなく、足部の諸疾患も防ぐことができることを見出した。
【０００９】
本発明は、足部の骨格の下方への変位および外反変位を自然に防ぐことのできる靴を作ることができる靴型及び靴を提供することを目的とする。
【課題を解決するための手段】
【００１０】
本発明は、靴を製造する際に靴の中底に当接する型底部を少なくとも備え、前記型底部の底面形状を中底の外面形状に転写させる靴型であって、前記型底部は、第１の凹部を備え、前記第１の凹部は、足の裏側の中央部に対応する部位に形成される第２の凹部と、足の裏側における内側部に対応する部位に形成される第３の凹部と、足の裏側における外側部に対応する部位に形成される第４の凹部とを有し、前記第２の凹部は、足の骨格を構成する第２中足骨に対応する部位に、前記第２中足骨に沿って形成されており、前記第３の凹部の内端縁は、前記靴型の内側面から外側面に向かう方向に前記内端縁を視た場合に、足の骨格を構成する第１中足骨の先端部に対応する部位の近傍から足の骨格を構成する踵骨の踵骨隆起内側突起に対応する部位の近傍まで延びる湾曲形状を有し、前記第３の凹部は、前記内端縁に向かうにしたがって上方に向かって傾斜して形成されると共に、前記第２の凹部に連続して接続されており、前記第４の凹部の外端縁は、前記靴型の外側面から内側面に向かう方向に前記外端縁を視た場合に、足の骨格を構成する第５中足骨の先端部に対応する部位の近傍から足の骨格を構成する踵骨の踵骨隆起外側突起に対応する部位の近傍まで延びる湾曲形状を有し、前記第４の凹部は、前記外端縁に向かうにしたがって上方に向かって傾斜して形成されると共に、前記第２の凹部及び前記第３の凹部に連続して接続される靴型に関する。
【００１１】
また、前記型底部は、足の骨格を構成する第１指の基節骨に対応する部位の近傍から第５指の基節骨に対応する部位の近傍までをつなぐように延びる第５の凹部を備えることが好ましい。
【００１２】
また、前記第２の凹部は、前記踵骨隆起内側突起及び前記踵骨隆起外側突起を結ぶ仮想線に対応する部位の近傍まで延びることが好ましい。
【００１３】
また、本発明は、人が履いた場合に足の裏側が当接する中底部を少なくとも備える靴であって、前記中底部は、第１の凸部を備え、前記第１の凸部は、足の裏側の中央部が配置される部位に形成される第２の凸部と、足の裏側における内側部が配置される部位に形成される第３の凸部と、足の裏側における外側部が配置される部位に形成される第４の凸部とを有し、前記第２の凸部は、足の骨格を構成する第２中足骨が配置される部位に、前記第２中足骨に沿って形成されており、前記第３の凸部の内端縁は、前記靴の内側面から外側面に向かう方向に前記内端縁を視た場合に、足の骨格を構成する第１中足骨の先端部が配置される部位の近傍から足の骨格を構成する踵骨の踵骨隆起内側突起が配置される部位の近傍まで延びる湾曲形状を有し、前記第３の凸部は、前記内端縁に向かうにしたがって上方に向かって傾斜して形成されると共に、前記第２の凸部に連続して接続されており、前記第４の凸部の外端縁は、前記靴の外側面から内側面に向かう方向に前記外端縁を視た場合に、足の骨格を構成する第５中足骨の先端部が配置される部位の近傍から足の骨格を構成する踵骨の踵骨隆起外側突起が配置される部位の近傍まで延びる湾曲形状を有し、前記第４の凸部は、前記外端縁に向かうにしたがって上方に向かって傾斜して形成されると共に、前記第２の凸部及び前記第３の凸部に連続して接続される靴に関する。
【００１４】
また、前記中底部は、足の骨格を構成する第１指の基節骨が配置される部位の近傍から第５指の基節骨が配置される部位の近傍までをつなぐように延びる第５の凸部を備えることが好ましい。
【００１５】
また、前記第２の凸部は、前記踵骨隆起内側突起及び前記踵骨隆起外側突起を結ぶ仮想線が形成される部位の近傍まで延びることが好ましい。
【発明の効果】
【００１６】
本発明において、健康な足が本来共通して所持する足部の骨格形状の特徴を靴型に反映させることにより、従来の靴型によって生じてしまう足部の骨格の下方への変位および外反変位を自然に防ぐことのできる靴を作ることができる靴型及び靴を提供することができる。
【図面の簡単な説明】
【００１７】
【図１】本実施形態の靴型の外観斜視図であって、（Ａ）は、上方側から視た図であり、（Ｂ）は、底面側から視た図である。
【図２】本実施形態の靴型を示す図であって、（Ａ）は、靴型１の内側面側から視た図であり、（Ｂ）は、靴型１の外側面側から視た図であり、（Ｃ）は、靴型の底面を上方側から視た図である。
【図３】（Ａ）から（Ｃ）は、それぞれ、図２（Ａ）から（Ｃ）における靴型に仮想的に人の足の骨格を重ねた状態を示す図である。
【図４】本実施形態の靴の外観斜視図を示す図である。
【図５】本実施形態の靴における中底を上方から視た図である。
【発明を実施するための形態】
【００１８】
以下、図面を参照して本発明を実施するための形態を説明する。
図１から図３により、本発明の靴型の一実施形態について説明する。図１は、本実施形態の靴型１の外観斜視図であって、（Ａ）は、上方側から視た図であり、（Ｂ）は、底面側から視た図である。図２は、本実施形態の靴型１を示す図であって、（Ａ）は、靴型１の内側面側から視た図であり、（Ｂ）は、靴型１の外側面側から視た図であり、（Ｃ）は、靴型１の底面を上方側から視た図である。図３は、（Ａ）から（Ｃ）は、それぞれ、図２（Ａ）から（Ｃ）における靴型１に仮想的に人の足の骨格１００を重ねた状態を示す図である。
【００１９】
本実施形態の靴型１によれば、靴を製造することができる。
靴型１を利用して靴を製造する場合には、靴型１の外面形状に、靴を構成する所定の部材を当接させることにより靴を製造する。
例えば、型上部３を皮革材で被覆して当接させることにより、靴の上面側に構成される甲部を形成することができる。
また、型底部２を靴の中底に当接させて、型底部２の底面形状を靴の中底に転写させることで中底の外面形状を形成することができる。ここで、型底部２の底面形状の中底への転写とは、型底部２の底面形状を中底に押し付けることにより、型底部２の底面形状が忠実に中底に反映される場合を含む他、型底部２の底面形状が忠実には中底に反映されない場合も含むものとする。
【００２０】
図１及び図２に示すように、本実施形態の靴型１は、木材を材料とする木型により形成される。靴型１の全体形状は、人の足の足首より下に対応する足型形状となっている。
靴型１は、人の足の底部に対応する型底部２と、人の足の底部の上から足首までの足に対応する型上部３とを主体として構成される。型上部３は、人の足のつま先部分に対応する型先部４と、人の足首部分に対応する型足首部５と、人の踵部分に対応する型踵部６と、型先部４と型足首部５との間の部位に対応する型甲部７と、を備える。
図３に示すように、本実施形態の靴型１は、靴型１に人の足の骨格１００を重ねることにより、それぞれの部位を対応付けることができる。
【００２１】
図１及び図２に示すように、型先部４は、人の足のつま先と略同一形状、又は、外形上のデザインの観点などから人の足のつま先より先端側に長い形状を有する。型先部４は、人の足のつま先の厚さに相当する所定の厚さを有する。型先部４の上面部は、略平面状に形成される。また、型先部４の両側面は、型底部２に対して略直交するように形成される。型先部４の上面部は、略台形形状に形成される。型先部４は、その先端部側に向かうにしたがって幅が狭くなるように形成される。型先部４の先端部は、所定の幅をもって形成される。
【００２２】
型足首部５は、靴を製造した場合に、靴を履く際の履き口を形成する。
型踵部６は、靴を製造した場合に、足の踵を配置し得る空間を確保する形状に形成される。
型甲部７は、靴を製造した場合に、人の甲を被覆する靴の甲部を作成し得る斜面により形成される。
図２（Ｃ）に示すように、靴型の型底部２の外周形状は、型先部４の先端側に長い捨て寸を除いて全体の平面形状が人の足の外周をつなぐような外形形状を有する。
【００２３】
図２及び図３に示すように、靴型１の型底部２は、第１の凹部２３と、第５の凹部２４とを備える。第１の凹部２３は、第２の凹部２１と、第３の凹部２０と、第４の凹部２２と、を有する。第２の凹部２１、第３の凹部２０、第４の凹部２２及び第５の凹部２４は、足の裏側の各部位に対応する部位に形成される。図２（Ｃ）及び図３（Ｃ）を参照して、靴型１と足の骨格１００との対応関係について説明する。
図２（Ｃ）及び図３（Ｃ）に示すように、第２の凹部２１は、足の裏側の中央部に対応する部位に形成される。第３の凹部２０は、足の裏側における内側部に対応する部位に形成される。第４の凹部２２は、足の裏側における外側部に対応する部位に形成される。第５の凹部は、足の裏側における前方部に対応する部位に形成される。第１の凹部２３は、第２の凹部２１、第３の凹部２０及び第４の凹部２２が複合されたものであり、足の裏側の長手方向の両端部を除く略全体に亘って形成される。
【００２４】
まず、図２（Ｃ）及び図３（Ｃ）により、第２の凹部２１について説明する。
靴型１と足の骨格１００とを対比して説明すると、足の骨格１００を構成する第１中足骨１０１から第５中足骨１０５は、足の内側から順に第１中足骨１０１、第２中足骨１０２、第３中足骨１０３、第４中足骨１０４、第５中足骨１０５の順に配置される。横方向における断面を視ると、第１中足骨１０１から第５中足骨１０５をつなぐ面は、第２中足骨１０２を頂点にするような湾曲形状を有している。この湾曲形状は、いわゆる横アーチ（図示せず）と呼ばれる。横アーチは、第２中足骨１０２の先端部に対応する部位から踵骨１０６に対応する部位の近傍に亘って形成される。第２の凹部２１は、この横アーチに沿って形成されることが好ましい。
第２の凹部２１は、第２中足骨１０２に対応する部位を頂点として形成され、第１中足骨１０１から第５中足骨１０５をつなぐような緩やかに湾曲する湾曲形状を有することが好ましい。
【００２５】
第２の凹部２１は、踵骨隆起内側突起１０６ａ及び踵骨隆起外側突起１０６ｂを結ぶ仮想線に対応する部位の近傍まで延びるように形成される。いわゆる横アーチは、第１指の末節骨１２０から第５指の末節骨１２４をつなぐように第２指の末節骨１２１を頂点とするようにも形成され、踵骨隆起内側突起１０６ａ及び踵骨隆起外側突起１０６ｂを結ぶ仮想線に対応する部位にも形成される。
ここで、図３（Ａ）及び図３（Ｂ）に示すように、踵骨隆起内側突起１０６ａ、踵骨隆起外側突起１０６ｂ及び末節骨１２０、１２１、１２２，１２３，１２４の位置について説明する。踵骨１０６は、足の踵を構成し、足の後端部に位置する足の骨格を構成する骨の一つである。踵骨１０６の後方部には、下方に向かって大きく膨出する踵骨隆起が形成される。踵骨隆起の下端部の内側には、踵骨隆起内側突起１０６ａが形成され、踵骨隆起の下端部の外側には、踵骨隆起外側突起１０６ｂが形成される。
また、図３（Ｃ）に示すように、末節骨１２０、１２１、１２２，１２３，１２４は、足の先端部に位置する骨である。
このように、いわゆる横アーチは、足の裏の足の骨格１００において、第２中足骨１０２に沿うように、踵骨１０６の後端部を除く縦方向の略全ての領域に亘って形成される。
【００２６】
続けて、図２及び３により、第３の凹部２０について説明する。
図２（Ａ）及び図２（Ｃ）に示すように、第３の凹部２０は、靴型１の上方向及び靴型１の内側面から外側面に向かう方向に視た場合に、第３の凹部２０の最も内側に形成される内端縁２０ａを有している。図３（Ａ）に示すように、内端縁２０ａの頂上の部分は、一般定義上、舟状骨１０７と呼ばれる足の骨格１００に対応する部位である。
図２（Ａ）と図３（Ａ）とにより、靴型１と足の骨格１００とを対比して説明すると、第３の凹部２０の内端縁２０ａは、靴型１の内側面から外側面に向かう方向に内端縁２０ａを視た場合に、足の骨格１００を構成する第１中足骨１０１の先端部に対応する部位の近傍から足の骨格を構成する踵骨１０６の踵骨隆起内側突起１０６ａに対応する部位の近傍まで延びる湾曲形状を有している。
【００２７】
ここでは、足の骨格１００と対応させて、内端縁２０ａが形成される位置を特定する。第１中足骨１０１及び踵骨１０６の踵骨隆起内側突起１０６ａの位置について説明する。
図３（Ｃ）に示すように、第１中足骨１０１とは、足の骨格１００を構成する骨の一つであり、中足骨のうちの足の内側に位置する骨である。中足骨は、足の骨格で５本の長骨から構成され、足の内側から順に第１中足骨１０１、第２中足骨１０２、第３中足骨１０３、第４中足骨１０４、第５中足骨１０５の順に位置する。中足骨は、足の縦方向における略中央から足の先端方向に延びるように形成される。図３（Ａ）に示すように、第１中足骨１０１は、足の内側から視た場合に、５本の中足骨の最も手前に位置する。
【００２８】
図３（Ａ）に示すように、踵骨１０６における踵骨隆起の下端部の内側には、踵骨隆起内側突起１０６ａが形成される。図３（Ａ）に示すように、足の内側から視た場合に、踵骨隆起内側突起１０６ａは、手前側に位置する。
【００２９】
図３（Ａ）に示すように、足の内側における足の骨格１００は、踵骨１０６と、踵骨１０６の先端に接続される舟状骨１０７と、舟状骨１０７の先端に接続される内側楔状骨１０８と、内側楔状骨１０８の先端に接続される第１中足骨１０１と、第１中足骨１０１の先端に接続される第１指の基節骨１０９と、第１指の基節骨１０９の先端に接続される第１指の末節骨１２０とにより構成される。
そして、足の内側には、踵骨１０６、舟状骨１０７、内側楔状骨１０８、第１中足骨１０１の下端部を夫々つなぐように、いわゆる内側縦アーチＸと呼ばれる湾曲形状が形成される。
図２及び図３に示すように、第３の凹部２０の内端縁２０ａは、この内側縦アーチＸに沿って形成されることが好ましい。
【００３０】
図１（Ｂ）、図２及び図３に示すように、第３の凹部２０は、内端縁２０ａに向かうにしたがって上方に向かって緩やかに傾斜して形成されている。第３の凹部２０の内端縁２０ａにおける湾曲形状は、第３の凹部２０の内端縁２０ａにおける曲率が大きく、内端縁２０ａから靴型１の外側面側に向かうにしたがって徐々に曲率が小さくなる。
【００３１】
第３の凹部２０は、第２の凹部２１に連続して緩やかに接続されている。図２（Ｃ）に示すように、第２の凹部２１と第３の凹部２０とは、その接続箇所が判別できない程度に緩やかに一体とする湾曲形状に形成されている。この第２の凹部２１から第３の凹部２０にかけての緩やかな湾曲形状は、湾曲方向が途中で上下方向に変化するような波打ち形状でないことが好ましい。
【００３２】
続けて、図２及び図３により、第４の凹部２２について説明する。
図２（Ｂ）及び図２（Ｃ）に示すように、第４の凹部２２は、靴型１の上方向及び靴型１の外側面から内側面に向かう方向に視た場合に、第４の凹部２２の最も外側に形成される外端縁２２ａを有している。図３に示すように、外端縁２２ａの頂上の部分は、一般定義上、立方骨１１９と呼ばれる足の骨格１００に対応する部位である。
図２（Ｂ）及び図３（Ｂ）により、靴型１と足の骨格１００とを対比して説明すると、外端縁２２ａは、靴型１の内側面から外側面に向かう方向に外端縁２２ａを視た場合に、足の骨格１００を構成する第５中足骨１０５の先端部に対応する部位の近傍から足の骨格１００を構成する踵骨１０６の踵骨隆起外側突起１０６ｂに対応する部位の近傍まで延びる湾曲形状を有している。
【００３３】
ここで、第５中足骨１０５及び踵骨１０６の踵骨隆起外側突起１０６ｂは、前述に説明した足の骨格１００の位置に形成されている。
具体的には、図３（Ｃ）に示すように、第５中足骨１０５は、中足骨のうちの足の外側に位置する骨である。図３（Ｂ）に示すように、第５中足骨１０５は、足の外側から視た場合に、５本の中足骨の最も手前に位置する。
図３（Ｂ）に示すように、踵骨１０６における踵骨隆起の下端部の外側には、踵骨隆起外側突起１０６ｂが形成される。踵骨隆起外側突起１０６ｂは、足の外側から視た場合に、手前側に位置する。
【００３４】
図３（Ｂ）に示すように、足の外側における足の骨格１００は、踵骨１０６と、踵骨１０６の先端に接続される立方骨１１９と、立方骨１１９の先端に接続される第５中足骨１０５と、第５中足骨１０５の先端に接続される第５指の基節骨１１３と、第５指の基節骨１１３の先端に接続される第５指の中節骨１１８と、第５指の中節骨１１８の先端に接続される第５指の末節骨１２４とにより構成される。
そして、足の外側には、踵骨１０６、立方骨１１９、第５中足骨１０５の夫々の下端部を結ぶように、いわゆる外側縦アーチＹと呼ばれる湾曲形状が形成される。
図２及び図３に示すように、第４の凹部２２の外端縁２２ａは、この外側縦アーチＹに沿って形成されることが好ましい。
【００３５】
図２（Ｂ）に示すように、第４の凹部２２は、外端縁２２ａに向かうにしたがって上方に向かって緩やかに傾斜して形成されている。
第４の凹部２２の外端縁２２ａ（立方骨１１９）における湾曲形状は、第４の凹部２２の外端縁２２ａにおける曲率が大きく、外端縁２２ａから内側に向かうにしたがって徐々に曲率が小さくなる。
また、第４の凹部２２の外端縁２２ａは、第３の凹部２０の内端縁２０ａと比べると、緩やかな湾曲形状に形成されている。それは、正常な健康の足において内側縦アーチより外側縦アーチの方が緩やかな湾曲になっているためである。
【００３６】
続けて、図１から図３により、第５の凹部２４について説明する。図１（Ｂ）、図２（Ｃ）及び図３（Ｃ）に示すように、第５の凹部２４は、足の骨格１００を構成する第１指の基節骨１０９に対応する部位の近傍から第５指の基節骨１１３に対応する部位の近傍までをつなぐように延びている。
【００３７】
図３に示すように、基節骨とは、足の指の骨格を構成する骨の一部で、中足骨の先端にそれぞれ接続されている。具体的には、足の内側から順に位置する第１中足骨１０１、第２中足骨１０２、第３中足骨１０３、第４中足骨１０４、第５中足骨１０５のそれぞれの先端に接続され、第１中足骨１０１の先端に接続される第１指の基節骨１０９、第２中足骨１０２の先端に接続される第２指の基節骨１１０、第３中足骨１０３の先端に接続される第３指の基節骨１１１、第４中足骨１０４の先端に接続される第４指の基節骨１１２、第５中足骨１０５の先端に接続される第５指の基節骨１１３がある。
【００３８】
図３に示すように、第１指の基節骨１０９から第５指の基節骨１１３の全ての基節骨のそれぞれは、底面の中央部が上方に凹むように形成される。基節骨の底面の部分は、歩行時において足指が靴の底面を掴む動き、いわゆるグリッピング運動をする場所に当たる。第５の凹部２４は、この第１指の基節骨１０９に対応する部位の近傍から第５指の基節骨１１３に対応する部位の近傍までの凹みをつなぐように延びることが好ましい。
【００３９】
図３（Ｃ）に示すように、第２指の中節骨１１５は、第２指の基節骨１１０の先端に接続される。第３指の中節骨１１６は、第３指の基節骨１１１の先端に接続される。第４指の中節骨１１７は、第４指の基節骨１１２の先端に接続される。第５指の中節骨１１８は、第５指の基節骨１１３の先端に接続される。
【００４０】
図２（Ｃ）に示すように、第５の凹部２４は、上方から視た全体形状が前方に向けて凸状に緩やかに湾曲した湾曲形状に形成される。第５の凹部２４は、第１指の基節骨１０９に対応する部位の近傍から第５指の基節骨１１３に対応する部位の近傍にかけて靴型１の後部の方向に向かって緩やかに傾斜して延びている。第５の凹部２４が延びる方向に対して直交する断面の形状は、どの位置における断面形状においても、上方に凹む形状に形成される。第５の凹部２４の第２指の基節骨１１０に対応する部位の近傍の深さは、横アーチの頂点が第２指上であるため、第５の凹部２４の他の部位よりも深く形成される。第２指の基節骨１１０に対応する部位の近傍における第５の凹部２４は、周囲の凹部と緩やかに接続されている。
【００４１】
図４及び図５により、本発明の靴５０に係る実施形態について説明する。図４は、本実施形態の靴の外観斜視図を示す図である。図５は、本実施形態の靴における中底を上方から視た図である。
【００４２】
本実施形態の靴５０は、前述の発明の実施形態の靴型１を用いて製造される靴５０として構成される。
図２及び図５に示すように、本発明の靴５０の中底部５１の形状は、靴型１の型底部２の底面形状を中底の外面形状に転写させたものとして構成される。従って、靴５０の中底部５１の外面形状は、靴型１の型底部２の凹凸形状を高さ方向に反転させたものとなる。具体的には、本実施形態に係る靴５０の中底部５１は、第１の凸部７５と第５の凸部７３とを備える。第１の凸部７５は、第２の凸部７１と、第３の凸部７０と、第４の凸部７２とを有する。第１の凸部７５、及び第５の凸部７３は、前述の実施形態に係る靴型１の型底部２に備えられる第１の凹部２３、第５の凹部２５により夫々転写されて形成される。ここで、型底部２の底面形状の中底部５１への転写とは、中底部５１を型底部２の底面形状に押し付けることにより、型底部２の底面形状が忠実に中底に反映される場合を含む他、型底部２の底面形状が忠実には中底に反映されない場合も含むものとする。
【００４３】
図４に示すように、本実施形態の靴５０は、紳士靴としての革靴として構成され、靴底部５２と、上部構成部５３とを備える。上部構成部５３は、つま先部５４と、甲部５５と、舌革部５６と、靴紐部５７と、カウンター部５８と、ヒール部６０とを有する。靴底部５２は、中底部５１（図５参照）と、本底部５９と、中底部５１と本底部５９との間に配置される衝撃吸収用部材（図示せず）とを有する。衝撃吸収用部材は、コルクなどで構成され、中底部５１と本底部５９との間に挟み込まれることにより、歩行などの際に生ずる衝撃を吸収する。
【００４４】
中底部５１は、人が履いた場合に足の裏側が当接する。
図５に示すように、第２の凸部７１は、足の裏側の中央部が配置される部位に形成される。第３の凸部７０は、足の裏側における内側部が配置される部位に形成される。第４の凸部７２は、足の裏側における外側部が配置される部位に形成される。第１の凸部７５は、第２の凸部７１、第３の凸部７０及び第４の凸部７２が複合されたものであり、中底部５１における足の裏側の長手方向の両端部を除く略全域に亘って形成される。
【００４５】
ここで、人の足の骨格１００については、前述の靴型１の実施形態で説明しているので一部を省略する。また、靴５０の中底部５１の凸部の詳細の形状については、本実施形態に係る靴５０は、前述の靴型１から製造された靴５０として解釈するものとして説明又は図面を省略する場合がある。
【００４６】
まず、図５により、第２の凸部７１について説明する。
第２の凸部７１は、前述の靴型１の実施形態で説明したいわゆる横アーチに沿って形成されることが好ましい。第２の凸部７１は、第２中足骨１０２の先端部に対応する部位から踵骨１０６に対応する部位の近傍に延びるように形成される。
第２の凸部７１は、第２中足骨１０２に対応する部位を頂点として形成され、第１中足骨１０１から第５中足骨１０５をつなぐような緩やかに湾曲する湾曲形状の線であることが好ましい。
【００４７】
第２の凸部７１は、踵骨隆起内側突起１０６ａ及び踵骨隆起外側突起１０６ｂを結ぶ仮想線に対応する部位の近傍まで延びるように形成される。いわゆる横アーチは、第１指の末節骨１２０から第５指の末節骨１２４をつなぐように第２指の末節骨１２１を頂点とするようにも形成され、踵骨隆起内側突起１０６ａ及び踵骨隆起外側突起１０６ｂを結ぶ仮想線に対応する部位にも形成される。このように、いわゆる横アーチは、足の裏の足の骨格１００において、第２中足骨１０２に沿うように、踵骨１０６の後端部を除く縦方向の略全ての領域に亘って形成される。
【００４８】
まず、図５により、第３の凸部７０について説明する。
図５に示すように、第３の凸部７０は、靴５０の上方の方向及び靴５０の内側面から外側面に向かう方向に視た場合に、第３の凸部７０の最も内側に形成される内端縁７０ａを有している。
靴５０と足の骨格１００とを対比して説明する（図３参照）と、内端縁７０ａは、靴５０の内側面から外側面に向かう方向に内端縁７０ａを視た場合に、足の骨格１００を構成する第１中足骨１０１の先端部に対応する部位の近傍から足の骨格１００を構成する踵骨１０６の踵骨隆起内側突起１０６ａに対応する部位の近傍まで延びる湾曲形状を有している。
【００４９】
前述のように、足の内側には、踵骨１０６、舟状骨１０７、内側楔状骨１０８、第１中足骨１０１の下端部を夫々つなぐように、いわゆる内側縦アーチＸと呼ばれる湾曲形状が形成される。第３の凸部７０の内端縁７０ａは、この内側縦アーチＸに沿って形成されることが好ましい。
【００５０】
第３の凸部７０は、内端縁７０ａに向かうにしたがって上方に向かって緩やかに傾斜して形成されている。第３の凸部７０の内端縁７０ａにおける湾曲形状は、第３の凸部７０の内端縁７０ａにおける曲率が大きく、内端縁７０ａに向かうに従って徐々に曲率が小さくなる。
【００５１】
そして、第３の凸部７０は、第２の凸部７１に連続して緩やかに接続されている。第２の凸部７１と第３の凸部７０とは、その接続箇所が判別できない程度に緩やかに一体とする湾曲形状に形成されている。この第２の凸部７１から第３の凸部７０にかけての緩やかな湾曲形状は、湾曲方向が途中で上下方向に変化するような波打ち形状でないことが好ましい。
【００５２】
続けて、図５により、第４の凸部７２について説明する。
第４の凸部７２は、靴５０の上方向及び靴５０の外側面から内側面に向かう方向に視た場合に、第４の凸部７２の最も外側に形成される外端縁７２ａを有している。第４の凸部７２は、靴５０の横方向における外端縁が内側に少し凹む湾曲形状を有している。
前述の靴型１のように、靴と足の骨格とを対比して説明すると、外端縁７２ａは、靴５０の内側面から外側面に向かう方向に外端縁７２ａを視た場合に、足の骨格を構成する第５中足骨１０５の先端部に対応する部位の近傍から足の骨格を構成する踵骨１０６の踵骨隆起外側突起１０６ｂに対応する部位の近傍まで延びる湾曲形状を有している。
【００５３】
前述のように、足の外側には、踵骨１０６、立方骨１１９、第５中足骨１０５の夫々の下端部を結ぶように、いわゆる外側縦アーチＹと呼ばれる湾曲形状が形成される。第４の凸部の外端縁７２ａは、この外側縦アーチＹに沿って形成されることが好ましい。
【００５４】
第４の凸部７２は、外端縁７２ａに向かうにしたがって上方に向かって緩やかに傾斜して形成されている。第４の凸部７２の外端縁７２ａにおける湾曲形状は、第４の凸部７２の外端縁７２ａにおける曲率が大きく、外端縁７２ａから内側に向かうにしたがって徐々に曲率が小さくなる。また、第４の凸部７２の外端縁７２ａは、第３の凸部７０の内端縁７０ａと比べると、湾曲が緩やかな湾曲形状に形成されている。
【００５５】
続けて、図５により、第５の凸部７３について説明する。
第５の凸部７３は、足の骨格１００を構成する第１指の基節骨１０９に対応する部位の近傍から第５指の基節骨１１３に対応する部位の近傍までをつなぐように延びている。
【００５６】
第５の凸部７３は、第１指の基節骨１０９に対応する部位の近傍から第５指の基節骨１１３に対応する部位の近傍までの凹みをつなぐように延びることが好ましい。
【００５７】
第５の凸部７３は、上方から視た全体形状が前方に向けて凸状に緩やかに湾曲した湾曲形状に形成され、第１指の基節骨１０９に対応する部位の近傍から第５指の基節骨１１３に対応する部位の近傍にかけて靴５０の後部の方向に向かって緩やかに傾斜して延びている。第５の凸部７３が延びる方向に対して直交する断面の形状は、どの位置における断面形状においても、上方に凹む形状に形成される。第５の凸部７３の第２指の基節骨１１０に対応する部位の近傍の深さは、横アーチの頂点が第２指上であるため、第５の凸部７３の他の部位よりも深く形成される。第２指の基節骨１１０に対応する部位の近傍における第５の凸部７３は、周囲の凸部と緩やかに接続されている。
【００５８】
以上の構成を有する実施形態によれば、本実施形態に係る靴５０は、例えば、次のような効果が奏される。
本実施形態に係る靴５０は、足の裏側における内側部が配置される部位に形成される第１の凸部７５を備える。そして、第１の凸部７５は、第２の凸部７１、第３の凸部７０及び第４の凸部７２を有する。そのため、第１の凸部７５を有する靴５０を履いた場合に、中底部５１の形状と足の形状とが適合し、足の骨格１００が足部の全体を通してどの部分においても波打つことなく、骨格の落ち込みが生じることを防ぐ。正常な健康の足が通常所持する３つの共通アーチ（横アーチ、内側縦アーチＸ、外側縦アーチＹ）を自然に保つことができ、その結果、外反母趾などになる原因となる外反足になることを防止できる。
【００５９】
外反足とは、踵骨１０６の重力方向の軸が内側方向に倒れた状態の足の形状をいう。外反足は、なんらかの原因で足部の重心が内側に持続してかかった場合に生じることが多い。例えば、下肢や下肢より上の部位による影響で足部が外反変位することもある。人間の骨格の変位は、その原因を１つに断定はできない。しかし、足部、特に、靴型に関して注目すると、この原因には共通性があることがわかり、その改善もすることができる。人間の骨格の変位の原因としては、従来の靴型により製造された靴の形状に起因することが多い。従来の靴には、第２の凸部７１が存在しなかった。下方へとＵ字状に膨出する従来の靴型により製造された靴の形状では、足部の骨格１００は、下方へと膨出するように変位してしまう。この場合、伸展、内転、外反を伴うため、靴５０の第２の凸部７１、第３の凸部７０及び第４の凸部７２が複合された第１の凸部７５が無い場合には、足部の変位を防ぐことができない。具体的には、従来の靴型により製造された靴を使用する場合には、足部は、下方そして内側に捻られるように変形してしまう。故に、踵骨１０６の垂直方向の軸は内側に倒れた状態となり、踵骨１０６は外反状態となる。しかし、例えば、第２の凸部７１のみを有することにより中足骨部分のみを持ち上げるようにしたり、第３の凸部７０のみを有することにより踵骨１０６の外反を防止することによっては解決できない。足の骨格１００の形状を崩す原因が、靴５０の中底部５１の一部の形状のみに存在するのではなく、中底部５１の全体の形状に存在するためである。
【００６０】
そして、外反足を自然に防ぐために必要なのが、第２の凸部７１と第３の凸部７０と第４の凸部７２とを複合的に有する第１の凸部７５である。第２の凸部７１は、靴底部５２の中足骨に対応する部分に配置されて、足の裏側の中央部を保持する。まず、第２の凸部７１は足部骨格の下方への変位を防ぐ。そして、第２の凸部７１に連続して接続される第３の凸部７０は、足の外側への回転力を発生させることができるので、外反足へと変位していく際の足部の変位の際に生じる足の内側への回転を防止することができる。この場合の足部の状態は、内反足のような傾いた状態ではなく、足部は、水平に保たれている。そして、第３の凸部７０と第４の凸部７２は、足部の水平位を保つように足部を保持する。これは、踵骨隆起内側突起１０６ａに対応する部位の近傍まで延びる第３の凸部７０及び踵骨隆起外側突起１０６ｂに対応する部位の近傍まで延びる第４の凸部７２により、踵骨１０６の垂直方向の軸の内側や外側への倒れを防止して足の水平の状態を保持することができるためである。
【００６１】
さらに詳細に説明する。第１の凸部７５は、上方より足部を見た場合、まず、第２の凸部７１により足部骨格が下方へ変位することを防止する。次に、第２の凸部７１から第３の凸部７０にかけて、靴５０の内側における上方方向に湾曲して上昇する湾曲するラインを形成する。この湾曲するラインにより、足部は外反足ではなく水平を保った正常な状態となる。そして、足の水平の状態は、踵骨１０６の水平の状態が保たれることにより保持される。踵骨１０６は、第３の凸部７０の踵骨隆起内側突起１０６ａおよび第４の凸部７２の踵骨隆起外側突起１０６ｂが踵骨１０６を挟み込むように配置されることで、水平の状態が保たれる。また、踵骨１０６は、第４の凸部７２及び第４の凸部７２に連続して接続される第２の凸部７１によって水平の状態に保つことができ、かつ、足部の前方は、第３の凸部７０及び第３の凸部７０に連続して接続される第２の凸部７１によって水平の状態に保つことができる。
【００６２】
また、本実施形態に係る靴５０においては、中底部５１は、足の骨格１００を構成する第１指の基節骨１０９が配置される部位の近傍から第５指の基節骨１１３が配置される部位の近傍までをつなぐように延びる第５の凸部７３を備える。
【００６３】
従って、本実施形態に係る靴５０は、例えば、次のような効果が奏される。
第５の凸部７３を有する靴５０を履いた場合に、足の骨格１００を構成する第１指の基節骨１０９が配置される部位の近傍から第５指の基節骨１１３が配置される部位の近傍までをつなぐように延びる凸部において、足の骨格１００に適合することにより、前後方向の足のずれを防止できる。また、足の骨格１００の変形や足の底面の筋疲労を軽減することができる。なお、第５の凸部７３を有さない靴の場合には、靴の内部に不必要な空間が生じており、靴の内部において足指の中底面を掴もうとする動きが不必要に生じるため、筋疲労を余計に生じさせてしまう。
【００６４】
また、本実施形態に係る靴５０における第２の凸部は、前記踵骨隆起内側突起及び前記踵骨隆起外側突起を結ぶ仮想線が形成される部位の近傍まで延びている。
従って、踵骨隆起内側突起１０６ａ及び踵骨隆起外側突起１０６ｂを結ぶ仮想線が形成される部位の近傍まで延びる、いわゆる横アーチが配置される部位の全域に亘って、より足の骨格に適合する靴５０となる。
【００６５】
また、本実施形態に係る靴型１によれば、第１の凹部２３及び第５の凹部２４を備えるので、前述のような第１の凸部７５及び第５の凸部７３を備える靴を製造できる。即ち、靴型１により製造された靴５０は、前述の靴５０と同様の効果を奏することができる。
【００６６】
以上、好適な実施形態について説明したが、本発明は、上述した実施形態に限定することなく種々の形態で実施することができる。
【００６７】
前述の実施形態は、靴型１を木型とした場合を例に説明したが、これに限定されず、靴型は、プラスチックにより形成されたプラスチック型などでもよい。
【００６８】
また、前述の実施形態は、靴５０を紳士靴とした場合を例に説明したが、靴５０には、例えば、婦人靴としてのハイヒールなどの種々の靴が含まれ、紐やバンドなどで足に止めるような足全体を包まないサンダルなども含まれる。
【００６９】
なお、前述の実施形態は、靴５０の靴底部５２は、第１の凸部７５を備えることにより、前述のような効果が得られるとしているが、第１の凸部７５は、足部の筋や血管などを過度に圧迫しない程度の形状であることが好ましい。
【００７０】
また、高級既製靴やオーダーメイド靴において、靴の中物にはコルクを使用する場合がある。その理由としては、長年その靴を履くことによりコルクが自分の体重により押しつぶされ、自分の足の形状がコルクに転写されるためである。
しかし、足の裏は、足部の骨格の下方への変位や外反変位等による重心の傾きにより傾いている場合がある。この足の裏が傾いた状態で中物にコルクが使用された靴を履くと、その傾いた足の裏の形状がコルクに転写される。この転写された形状は、足を水平に保てないばかりか、その靴を履き続けることにより更なる足部の骨格の下方への変位や外反変位への原因となる可能性がある。
一方、本発明の靴５０は、第１の凸部７５を備えるため、足を水平の状態に保つことができる。従って、足部の骨格の下方への変位や外反変位を自然に防止できる。
【符号の説明】
【００７１】
１  靴型
２  型底部
２０  第３の凹部
２０ａ  内端縁
２１  第２の凹部
２２  第４の凹部
２２ａ  外端縁
２３  第１の凹部
５０  靴
５１  中底部
７０  第３の凸部
７０ａ  内端縁
７１  第２の凸部
７２  第４の凸部
７２ａ  外端縁
７５  第１の凸部
１００  足の骨格
１０１  第１中足骨
１０２  第２中足骨
１０５  第５中足骨
１０６  踵骨
１０６ａ  踵骨隆起内側突起
１０６ｂ  踵骨隆起外側突起
【図１】
2010187843.tif 000003
【図２】
2010187843.tif 000004
【図３】
2010187843.tif 000005
【図４】
2010187843.tif 000006
【図５】
2010187843.tif 000007